(57)【特許請求の範囲】
【請求項１】
ノック操作によって、上部外筒ホルダと下部外筒ホルダとを相対回動自在に連繋してある外筒ホルダ内に嵌挿された印字体ホルダの下端にある印字体を前記下部外筒ホルダの下端より出没させて捺印可能な状態と捺印不能な状態とに切替えできるようにした印判であって、前記印字体ホルダはそのシャフトの下部に続かせた印字体受筒部を前記下部外筒ホルダ内にスライド自在に嵌挿させるとともに、前記シャフトを筒状のコネクタとキー係合させた状態で前記した上部外筒ホルダ内に遊嵌されていて、このシャフトの上端にはノック機構を介してノックキャップを設けてあり、また、前記した上部外筒ホルダにはノックキャップのノック操作により前記シャフトに軸線方向に形成してあるキーと係脱するロック部材が設けられており、更に、前記ノックキャップにクリップが設けられ、上部外筒ホルダにはクリップガイド用の縦溝が形成されていて、前記上部外筒ホルダと下部外筒ホルダとを把持して相対的に回動させる操作によりこのロック部材を前記シャフトと係脱させて印字体の印字面を前記下部外筒ホルダの下端より露呈させた捺印可能な状態と下部外筒ホルダの下端より後退させた捺印不能な状態とに切替えできるようにしたことを特徴とする印判。
【請求項２】
下部外筒ホルダの下端開口に印字体の出没により開閉されるシャッタを設けた請求項１に記載の印判。
【発明の詳細な説明】
【技術分野】
【０００１】
本発明はロック可能なノック式の印判に関するものである。
【背景技術】
【０００２】
出没可能な印字体の進出をロックする印判は従来より知られている（例えば、特許文献１参照）。また、ノック方式により印字体を出没させる印判も知られている（例えば、特許文献２参照）。
【０００３】
しかし、前者は印字体の進出をロックする操作が面倒であり、また、後者は印字体を後退させた状態でロックできないので不用意にノック操作が行われて露呈された印面で他物を汚損させたりするという問題がある。
【先行技術文献】
【特許文献】
【０００４】
【特許文献１】特開２００９−５６７１０号公報
【特許文献２】実公昭５５−４１５６５公報
【発明の概要】
【発明が解決しようとする課題】
【０００５】
本発明は、ロック操作が簡単であり、しかも、ノック操作をロックできるので不用意に印面が他物を汚損させることがないロック可能なノック式の印判を提供することを目的とする。
【課題を解決するための手段】
【０００６】
本発明は、ノック操作によって、上部外筒ホルダと下部外筒ホルダとを相対回動自在に連繋してある外筒ホルダ内に嵌挿された印字体ホルダの下端にある印字体を前記下部外筒ホルダの下端より出没させて捺印可能な状態と捺印不能な状態とに切替えできるようにした印判であって、前記印字体ホルダはそのシャフトの下部に続かせた印字体受筒部を前記下部外筒ホルダ内にスライド自在に嵌挿させるとともに、前記シャフトを筒状のコネクタとキー係合させた状態で前記した上部外筒ホルダ内に遊嵌されていて、このシャフトの上端にはノック機構を介してノックキャップを設けてあり、また、前記した上部外筒ホルダにはノックキャップのノック操作により前記シャフトに軸線方向に形成してあるキーと係脱するロック部材が設けられており、更に、前記ノックキャップにクリップが設けられ、上部外筒ホルダにはクリップガイド用の縦溝が形成されていて、前記上部外筒ホルダと下部外筒ホルダとを把持して相対的に回動させる操作によりこのロック部材を前記シャフトと係脱させて印字体の印字面を前記下部外筒ホルダの下端より露呈させた捺印可能な状態と下部外筒ホルダの下端より後退させた捺印不能な状態とに切替えできるようにしたことを特徴とする印判である。
【０００７】
なお、下部外筒ホルダの下端開口に印字体の出没により開閉されるシャッタを設けたりしてもよい。
【発明の効果】
【０００８】
本発明は、ノック操作によって、上部外筒ホルダと下部外筒ホルダとを相対回動自在に連繋してある外筒ホルダ内に嵌挿された印字体ホルダの下端にある印字体を前記下部外筒ホルダの下端より出没させて捺印可能な状態と捺印不能な状態とに切替えできるようにした印判であって、前記印字体ホルダはそのシャフトの下部に続かせた印字体受筒部を前記下部外筒ホルダ内にスライド自在に嵌挿させるとともに、前記シャフトを筒状のコネクタとキー係合させた状態で前記した上部外筒ホルダ内に遊嵌されていて、このシャフトの上端にはノック機構を介してノックキャップを設けてあり、また、前記した上部外筒ホルダにはノックキャップのノック操作により前記シャフトに軸線方向に形成してあるキーと係脱するロック部材が設けられており、更に、前記ノックキャップにクリップが設けられ、上部外筒ホルダにはクリップガイド用の縦溝が形成されていて、前記上部外筒ホルダと下部外筒ホルダとを把持して相対的に回動させる操作によりこのロック部材を前記シャフトと係脱させて印字体の印字面を前記下部外筒ホルダの下端より露呈させた捺印可能な状態と下部外筒ホルダの下端より後退させた捺印不能な状態とに切替えできるようにしたから、上部外筒ホルダと下部外筒ホルダとを相対的に回動させるだけでノック操作のロック・アンロックとを行うことができ、このため、ロック操作が簡単で事務処理を円滑に行うことができるうえに、不用意にノック操作が行われて衣服やカバン内の書類を汚損させることがない。
【０００９】
また、前記ノックキャップにクリップを設けて上部外筒ホルダにクリップをガイドする縦溝を形成したので、ノックキャップによるノック操作を上部外筒ホルダ内で行うことができるので、印判をコンパクトなものとすることができる。
【００１０】
さらに、請求項２のように、下部外筒ホルダの下端開口に印字体の出没により開閉されるシャッタを設けたものは、ロック時は印字面を被套することができるので、より的確に印面で他物を汚損させることを防止できる。
【図面の簡単な説明】
【００１１】
【図１】本発明の好ましい実施形態を示す正面図である。
【図２】同じく側面図である。
【図３】同じく平面図である。
【図４】同じく底面図である。
【図５】図１のＡ−Ａ断面図である。
【図６】図２のＢ−Ｂ断面図である。
【図７】同じく分解斜視図である。
【図８】下部外筒ホルダの斜視図である。
【図９】同じく正面図である。
【図１０】同じく平面図である。
【図１１】図９のＥ−Ｅ断面図である。
【図１２】図１０のＣ−Ｃ断面図である。
【図１３】図１０のＤ−Ｄ断面図である。
【図１４】上部外筒ホルダの斜視図である。
【図１５】同じく平面図である。
【図１６】図１５のＦ−Ｆ断面図である。
【図１７】図１５のＧ−Ｇ断面図である。
【図１８】コネクタの斜視図である。
【図１９】同じく平面図である。
【図２０】図１９のＨ−Ｈ断面図である。
【図２１】ロック部材の斜視図である。
【図２２】同じく平面図である。
【図２３】図２２のＩ−Ｉ断面図である。
【図２４】筒状カムの斜視図である。
【図２５】同じく正面図である。
【図２６】同じく平面図である。
【図２７】図２５のＪ−Ｊ断面図である。
【図２８】鋸歯状筒カムの斜視図である。
【図２９】同じく正面図である。
【図３０】同じく平面図である。
【図３１】図２９のＫ−Ｋ断面図である。
【図３２】印字体ホルダの正面図である。
【図３３】図３２のＬ−Ｌ断面図である。
【図３４】シャッタの斜視図である。
【発明を実施するための形態】
【００１２】
次に、本発明の好ましい実施形態を図に基づいて詳細に説明する。
１は上部外筒ホルダであり、２は下部外筒ホルダであり、上部外筒ホルダ１と下部外筒ホルダ２とは図５〜７に示されるように筒状のコネクタ３により相対回動自在に連繋されて外筒ホルダを構成している。
【００１３】
上部外筒ホルダ１は図１４〜１７に示されるように、周壁上部にノックキャップ５のクリップ５ｂをスライドガイドさせる縦切欠１ａを形成するとともに、その肉厚を３段に異ならせて大中小内径部を形成し、下部の大内径部１ｂには後記するロック部材６の外鍔６ａを嵌合係止させるとともに筒状のコネクタ３の上部が嵌合される。
【００１４】
また、上部外筒ホルダ１の小内径部１ｃと中内径部１ｄとの段差には鋸歯状カム１１が形成されるとともに、該鋸歯状カム１１の傾斜面から上方に延びる縦溝１ｅが小内径部１ｃに９０°間隔で刻設されている。１ｆは上部外筒ホルダ１の下端方部の内周面に形成される環状凹溝で、該環状凹溝１ｆは筒状のコネクタ３の上部環状隆起３ｃと係合されてコネクタ３と上部外筒ホルダ１とを回動自在に連結する。
【００１５】
下部外筒ホルダ２は図８〜１３に示されるように、下部にシャッタ４取付用の切欠２ａ，２ａを形成してあり、また、上端内周面には断面凹弧状の環状溝２ｂを形成するとともに上部に断面円弧状の縦隆条２ｃを１条形成している。前記した環状溝２ｂはコネクタ３の下部環状隆起３ｄと係合され、縦隆条２ｃはコネクタ３の縦溝３ｅと係合され、下部外筒ホルダ２とコネクタ３とは回り止め連結される。
【００１６】
コネクタ３は図１８〜２０に示されるように、外筒３ａに続けて短い内筒３ｂを形成したもので、外筒３ａの外周面には断面円弧状の上部環状隆起３ｃと、断面円弧状の下部環状隆起３ｄと、下部に断面凹弧状の縦溝３ｅと、９０°間隔でスリット３ｇが形成されている。スリット３ｇはコネクタ３の上筒部に弾性を付与して上部外筒ホルダ１との組み立てを容易にするものである。また、コネクタ３の内筒３ｂの内周面には１８０°間隔で凹切欠３ｆが形成されている。該凹切欠３ｆは後記する印字体ホルダ９のシャフト９ｂに形成されたキー９ｃと係合して印字体ホルダ９を回動はさせないがスライドはできるようにしている。
【００１７】
６はロック部材であり、該ロック部材６は図２１〜２３に示されるように、上端に外鍔６ａを形成し下端に内鍔６ｂを形成した筒状体であり、内鍔６ｂにはシャフト９ｂのキー９ｃと係合してスライドガイドされる凹切欠７が１８０°間隔で形成されている。また、８は外鍔６ａに形成される凹切欠であり、該凹切欠８は１８０°間隔で形成され、上部外筒ホルダ１の大内径部１ｂの上部に１８０°間隔で形成される縦隆条１ｇと係合して上部外筒ホルダ１にロック部材６を回り止めするものである。印字体ホルダ９のキー９ｃと内鍔６ｂの凹切欠７との係脱により、印字体ホルダ９のノック操作はロックされたり、アンロックされたりする。
【００１８】
前記印字体ホルダ９は印字体１０を着脱自在に嵌着する印字体受筒部９ａを下部に形成するとともに、上部にノックキャップ５とノック機構１３を介して連繋されるシャフト９ｂが形成されている。前記印字体ホルダ９は下部外筒ホルダ２内にスライド自在に嵌挿され、印字体１０の印字面が下部外筒ホルダ２の下端開口より露呈できるようになっている。シャフト９ｂには１８０°間隔で軸線方向に形成されるキー９ｃが形成されている。該キー９ｃは略中間部を切欠９ｄにより切り離し上下２段のものとしている。該切欠９ｄを通じてロック部材６の凹切欠７はキー９ｃとの係脱が行われる。凹切欠７がキー９ｃに係合されることにより印字体ホルダ９はスライド可能となる。
【００１９】
また、前記ノック機構１３はシャフト９ｂに取付けられる固定カム筒１４と回転カム筒１５とからなる。固定カム筒１４は鍔部１４ａの下端縁には鋸歯状カム１６が形成されている。１７は鍔部１４ａの外周面に９０°間隔で形成される縦隆条である。該縦隆条１７は上部外筒ホルダ１の小内径部１ｃ内面に９０°間隔で形成される縦溝１ｅとスライド自在に係合される。
【００２０】
固定カム筒１４の帽状部１４ｂの外周面には係止爪１８が１８０°間隔で形成されており、該係止爪１８はノックキャップ５の５ｂに形成された１８０°間隔で形成された係止孔５ｃと係止して固定カム筒１４とノックキャップ５とは一体化される。
【００２１】
また、回転カム筒１５は大径筒部１５ａと小径筒部１５ｂとからなるもので、大径筒部１５ａの天板部上面には上端を斜面させた４本のカム１９が９０°間隔で形成される。小径筒部１５ｂは前記固定カム筒１４の帽状部１４ｂに回動自在に軸支される。また、カム１９は前記固定カム筒１４の鋸歯状カム１６と係合される。このため、回転カム筒１５が下降してそのカム１９が上部外筒ホルダ１の縦溝１ｅから抜け出ると固定カム筒１４により回転カム筒１５は回動して隣接する鋸歯状カム１６に係止されて印字体ホルダ９の進出状態を維持する。もう一度ノックすると、回転カム筒１５のカム１９は鋸歯状カム１６との係合が解かれて回動し、縦溝１ｅ内に入り込むので印字体ホルダ９は後記するスプリング２０のばね圧で後退し、旧状に復帰することとなる。
【００２２】
２０はロック部材６と回転カム筒１５間に介在されるスプリングであり、該スプリング２０は捺印操作後、印字体ホルダ９を旧状復帰させるものである。また、シャッタ４は図３４に示されるように、下部外筒ホルダ２の切欠２ａに取付けられる取付板４ａに対して遮蔽板４ｂは略９０°の角度を持たせて樹脂成形したもので、印字体１０が印字体ホルダ９とともに下降して遮蔽板４ｂに当接することにより、弾性により強制的に開かれて印字体１０の印字面を外部に露呈させる。また、印字体１０が後退すれば弾性により遮蔽板４ｂは自動的に旧状に復帰する。
【００２３】
このように構成されたものは、上部外筒ホルダ１と下部外筒ホルダ２とは筒状のコネクタ３を介して相対回動自在に連結されているので、捺印を行なう際には、上部外筒ホルダ１と下部外筒ホルダ２とを把持して相対的に回動させれば、上部外筒ホルダ１に回り止めされているロック部材６は下部外筒ホルダ２と相対的に回動することとなる。
【００２４】
そして、印字体ホルダ９がコネクタ３を介して下部外筒ホルダ２に固定されているので、ロック部材６は９０°回動し、ロック部材６の内鍔６ｂに形成された凹切欠７が印字体ホルダ９の切欠９ｄを通じてキー９ｃ内に移動して印字体ホルダ９のロックは解除され、ノック操作が可能な状態となる。
【００２５】
この状態で、ノックキャップ５を押圧すれば、印字体ホルダ９は下降して印字体ホルダ９の下部がシャッタ４の遮蔽板４ａを強制的に押し開けて印字体１０の下端の印面を露呈させるので、捺印を行うことができる。
【００２６】
また、この捺印可能な状態でノックキャップ５を押圧すれば、前記したように回転カム筒１５のカム１９は鋸歯状カム１１との係合が解かれて回動して縦溝１ｅ内に入り込み、印字体ホルダ９はスプリング２０のばね圧で後退し、旧状に復帰することとなるので、印字体１０の印面が下部外筒ホルダ２の内部に隠蔽されることとなって、露呈された印面で他物を汚損させるおそれがない。
【００２７】
さらに、印字体ホルダ９が後退した状態で上部外筒ホルダ１と下部外筒ホルダ２とを把持して相対的に回動させれば、上部外筒ホルダ１に回り止めされているロック部材６の働きで印字体ホルダ９は上昇したままの状態でロックされてノックキャップ５が誤って押圧されても印字体ホルダ９はスライドできないので、印字体ホルダ９が下降して下端の印面が露呈されて他物を汚損させるおそれは全くない。
【符号の説明】
【００２８】
１  上部外筒ホルダ
1a  縦切欠
1b  大内径部
1c  中内径部
1d  小内径部
1e  縦溝
1f  環状凹溝
1g  縦隆条
２  下部外筒ホルダ
2a  切欠
2b  環状溝
2c  縦隆条
３  コネクタ
3a  上部環状隆起
3b  スリット
3c  下部環状隆起
3d  縦溝
４  シャッタ
4a  取付板
4b  遮蔽板
５  ノックキャップ
5a  キャップ部
5b  クリップ
5c  係止孔
６  ロック部材
6a  外鍔
6b  内鍔
７  凹切欠
８  凹切欠
９  印字体ホルダ
9a  印字体受筒部
9b  シャフト
9c  キー
10  印字体
11  鋸歯状カム
12a   キャップ部
2b  係止孔
13  ノック機構
14  固定カム筒
14a   鍔部
14b   帽状部
15  回転カム筒
15a   大径筒部
15b   小径筒部
16  鋸歯状カム
17  縦隆条
18  係止爪
19  カム
20  スプリング
【図１】
0006031834.tif 000002
【図２】
0006031834.tif 000003
【図３】
0006031834.tif 000004
【図４】
0006031834.tif 000005
【図５】
0006031834.tif 000006
【図６】
0006031834.tif 000007
【図７】
0006031834.tif 000008
【図８】
0006031834.tif 000009
【図９】
0006031834.tif 000010
【図１０】
0006031834.tif 000011
【図１１】
0006031834.tif 000012
【図１２】
0006031834.tif 000013
【図１３】
0006031834.tif 000014
【図１４】
0006031834.tif 000015
【図１５】
0006031834.tif 000016
【図１６】
0006031834.tif 000017
【図１７】
0006031834.tif 000018
【図１８】
0006031834.tif 000019
【図１９】
0006031834.tif 000020
【図２０】
0006031834.tif 000021
【図２１】
0006031834.tif 000022
【図２２】
0006031834.tif 000023
【図２３】
0006031834.tif 000024
【図２４】
0006031834.tif 000025
【図２５】
0006031834.tif 000026
【図２６】
0006031834.tif 000027
【図２７】
0006031834.tif 000028
【図２８】
0006031834.tif 000029
【図２９】
0006031834.tif 000030
【図３０】
0006031834.tif 000031
【図３１】
0006031834.tif 000032
【図３２】
0006031834.tif 000033
【図３３】
0006031834.tif 000034
【図３４】
0006031834.tif 000035